(57)【要約】      （修正有）【課題】複数の基地局とＵＥとで構成された移動通信システムにおいて、ＵＥに特定のセルを再選択させ、あるいはＵＥを特定のセルへハンドオーバさせるという課題を解決する。【解決手段】通信システムは、第１の基地局と、第２の基地局と、管理ノードとを備え、管理ノードは、第１の基地局及び第２の基地局と第１の基地局又は第２の基地局のいずれかに帰属して通信を行う端末との間の接続ポリシー情報を記憶するとともに、隣接する第２の基地局を示す情報を含む隣接情報を接続ポリシー情報及び第２の基地局の位置情報に基づいて生成して第１の基地局に通知し、第１の基地局は、第１の基地局に帰属する端末と第１の基地局との接続状態に基づいて隣接情報を端末に通知し、端末が帰属する基地局は、通知された隣接情報に基づいて決定される。【選択図】図１
2012049675.tif 000002
【特許請求の範囲】
【請求項１】
第１の基地局と、第２の基地局と、管理ノードとを備える通信システムであって、
前記管理ノードは、
前記第１の基地局及び前記第２の基地局と前記第１の基地局又は前記第２の基地局のいずれかに帰属して通信を行う端末との間の接続ポリシー情報を記憶するとともに、隣接する前記第２の基地局を示す情報を含む隣接情報を前記接続ポリシー情報及び前記第２の基地局の位置情報に基づいて生成して前記第１の基地局に通知し、
前記第１の基地局は、
前記第１の基地局に帰属する前記端末と前記第１の基地局との接続状態に基づいて前記隣接情報を前記端末に通知し、
前記端末が帰属する基地局は、前記通知された前記隣接情報に基づいて決定される、
通信システム。
【請求項２】
前記第１の基地局は、前記端末と前記第１の基地局とが通信中でない場合は、前記隣接情報を前記端末にブロードキャストする、請求項１に記載された通信システム。
【請求項３】
前記通信システムはＬＴＥ（Ｌｏｎｇ  Ｔｅｒｍ  Ｅｖｏｌｕｔｉｏｎ）システムであり、前記第１の基地局は、前記端末がＲＲＣ  Ｉｄｌｅ状態である場合には、前記隣接情報をＳｙｓｔｅｍ  Ｉｎｆｏｒｍａｔｉｏｎ情報を用いてページングにより前記端末に通知する、請求項１に記載された通信システム。
【請求項４】
前記第１の基地局は、前記端末と前記第１の基地局とが通信中である場合は、前記接続ポリシー情報に基づいて前記端末のハンドオーバ処理を実行する、請求項１に記載された通信システム。
【請求項５】
他の基地局の位置情報及び基地局と端末との接続ポリシー情報に基づいて生成された、隣接する前記他の基地局を示す情報を含む隣接情報を受信するとともに、自基地局に帰属する端末と自基地局との接続状態に基づいて、前記隣接情報を前記端末に通知する通知手段と、
前記端末との通信に必要な処理を行う処理手段と、
前記隣接情報を記憶する記憶手段と、を備える基地局。
【請求項６】
前記端末と自基地局とが通信中でない場合は、前記隣接情報を前記端末にブロードキャストする、請求項５に記載された基地局。
【請求項７】
前記端末と自基地局とが通信中である場合は、前記基地局及び前記他の基地局と前記端末との接続ポリシーに基づいて、前記端末のハンドオーバ処理を実行する、請求項５に記載された基地局。
【請求項８】
第１の基地局と、第２の基地局と、を備える通信システムで用いられる通信方法であって、
前記第１の基地局及び前記第２の基地局と前記第１の基地局又は前記第２の基地局のいずれかに帰属して通信を行う端末との間の接続ポリシー情報を記憶し、
隣接する前記第２の基地局を示す情報を含む隣接情報を、前記接続ポリシー情報及び前記第２の基地局の位置情報に基づいて生成して前記第１の基地局に通知し、
前記第１の基地局に帰属する前記端末と前記第１の基地局との接続状態に基づいて前記隣接情報を前記端末に通知し、
前記通知された前記隣接情報に基づいて、前記端末の帰属する基地局が決定される、通信方法。
【請求項９】
他の基地局の位置情報及び基地局と端末との接続ポリシー情報に基づいて生成された、隣接する前記他の基地局を示す情報を含む隣接情報を受信して記憶し、
自基地局に帰属する端末と自基地局との接続状態に基づいて、前記隣接情報を前記端末に通知する、基地局の通信方法。
【請求項１０】
基地局のコンピュータを、
他の基地局の位置情報及び基地局と端末との接続ポリシー情報に基づいて生成された、隣接する前記他の基地局の情報である隣接情報を受信するとともに、自基地局に帰属する端末と自基地局との接続状態に基づいて、前記隣接情報を前記端末に通知する通知手段、
前記端末との通信に必要な処理を行う処理手段、
前記隣接情報を記憶する記憶手段、
として動作させるための基地局の制御プログラム。
【発明の詳細な説明】
【技術分野】
【０００１】
本発明は、通信システム、通信方法、基地局、基地局の通信方法及び基地局の制御プログラムに関し、特に、ユーザー端末のセルの再選択機能及びハンドオーバ機能に関する。
【背景技術】
【０００２】
ＬＴＥ（Ｌｏｎｇ  Ｔｅｒｍ  Ｅｖｏｌｕｔｉｏｎ）の無線通信システムをさらに発展させた規格であるＬＴＥ−Ａｄｖａｎｃｅｄでは、リレー機能の導入の議論がなされている。リレー機能は、端末から基地局へのあるいは基地局から端末への信号を転送する機能であり、リレー・ノードの設置により実現される。リレー・ノードの設置により、カバレッジを拡大しカバレッジ内でのデータ伝送速度を向上させることが可能になる。リレー機能の一形態として、セルフ・バックホーリングの利用がある。セルフ・バックホーリングとは、基地局からコアネットワークまでの伝送路がＩＭＴ（Ｉｎｔｅｒｎａｔｉｏｎａｌ  Ｍｏｂｉｌｅ  Ｔｅｌｅｃｏｍｍｕｎｉｃａｔｉｏｎ）帯域で運用されるＬＴＥ−Ａｄｖａｎｃｅｄシステムによって提供される形態である。このようなバックホールを有する基地局は、伝送路を提供する基地局の範囲内を移動可能である。そのため、例えば自動車や列車にリレー・ノードとなるフェムトセル基地局を搭載し、乗客にそのフェムトセル基地局を利用させることが可能となる。
【０００３】
しかし、移動可能な基地局が存在してもＵＥ（Ｕｓｅｒ  Ｅｑｕｉｐｍｅｎｔ）がその基地局のセルを利用できなければ、利用者は基地局の保有事業者が提供する通信サービスを利用することができない。一般的には、ＵＥが通信する基地局を切り替える場合には、ＵＥは、無線品質が最も良い基地局と通信を継続する。しかし、例えばＵＥが移動可能な基地局から特別な通信サービスを受けるという契約がされている場合には、移動基地局とＵＥとの間の無線品質が最良ではなくとも通信に支障がない品質であれば、ＵＥがその移動基地局と通信できるように通信システムの動作が設定できることが望ましい。
【０００４】
ＵＥの状態によって新たな通信先の設定手順は異なる。３ＧＰＰの技術仕様では、ＵＥと基地局との間の状態として、通信状態であるＲＲＣ（Ｒａｄｉｏ  Ｒｅｓｏｕｒｃｅ  Ｃｏｎｔｒｏｌ）  Ｃｏｎｎｅｃｔｉｏｎと非通信状態であるＲＲＣ  Ｉｄｌｅとが規定されている。ＵＥと基地局の間でＲＲＣ  Ｃｏｎｎｅｃｔｉｏｎが確立されているＲＲＣ  Ｃｏｎｎｅｃｔｅｄの状態においては、ハンドオーバが実行される。また、ＲＲＣ  Ｃｏｎｎｅｃｔｉｏｎが確立されていないＲＲＣ  Ｉｄｌｅの状態においては、セル再選択が実行される。これによってＵＥは新たなセルと通信可能な状態となる。
【０００５】
まず、ハンドオーバに関して説明する。３ＧＰＰの技術仕様であるＴＳ３６．３００  ｖ９．３．０は、マクロ基地局からフェムトセルへのハンドオーバの手順を規定している。この手順は、ｉｎｂｏｕｎｄ  ｍｏｂｉｌｉｔｙと呼ばれる。また、１つのマクロ基地局に割当可能なフェムトセルの物理ＩＤは、最大５０４個となっている。そして、この手順は、物理セルＩＤが最大５０４個しか割当てられないことによりマクロ基地局のサービスエリアに存在する異なるフェムトセルに同じ物理セルＩＤが割当てられた場合においても、マクロ基地局がどのフェムトセルへｉｎｂｏｕｎｄ  ｍｏｂｉｌｉｔｙを実施したかを判別できない場合があるという問題を解決する。
【０００６】
次にセル再選択について説明する。３ＧＰＰの技術仕様であるＴＳ３６．３０４  ｖ９．２．０は、ＵＥがセルを再選択するための基準を記載している。３ＧＰＰの勧告によると、Ｃｌｏｓｅｄ  Ｓｕｂｓｃｒｉｂｅｒ  Ｇｒｏｕｐ  （以下ＣＳＧという。）と呼ばれる、登録済みのユーザーのみがその基地局に接続できる運用モードを基地局に設定することが可能である。そして、基地局がこのモードで運用されている場合には、この基地局のＣＳＧのＩＤを有するＵＥのみがその基地局と通信できる。また、技術仕様には以下のような動作が定義されている。（１）ＵＥがＣＳＧセルに在圏すると、そのセルが存在する周波数を最も優先度の高い周波数であるとみなす。（２）ＣＳＧモードでない基地局から、異なる周波数で運用しているＣＳＧモードの基地局のセルを再選択する場合、ＣＳＧモードの基地局のセルがそのセルが運用している周波数上で最もランクが高い場合、現在ＵＥが在圏しているセルの周波数の優先度とは無関係に、検出したＣＳＧモードの基地局のセルを再選択する。（３）ＣＳＧモードの基地局のセルに在圏している場合に異なる周波数上で運用しているＣＳＧモードの基地局のセルを再選択する際にもそのセルがその周波数上で最もランクが高い場合にそのセルを再選択する。（４）現在在圏しているセルと同じ周波数で運用しているＣＳＧモードの基地局のセルへのセル再選択は、技術仕様で規定されている同一周波数内あるいは同じ優先度を持つ周波数間でのセル再選択の基準に従って行われる。
【０００７】
また、移動通信システムにおける隣接セルの情報を管理する技術として、特許文献１は、隣接セルの情報を基地局間で交換することで、隣接セルを管理する方法を記載している。
【０００８】
また、特許文献２は、ハンドオーバの際に基地局のテーブルの隣接ゾーン情報が更新される移動通信方法を記載している。
【先行技術文献】
【特許文献】
【０００９】
【特許文献１】特開２００９−２７２８８４号公報
【特許文献２】特開平０９−２８４８２８号公報
【発明の概要】
【発明が解決しようとする課題】
【００１０】
ＵＥと基地局の間でハンドオーバが実行される場合にマクロ基地局がｉｎｂｏｕｎｄ  ｍｏｂｉｌｉｔｙを実施したフェムトセルを判別できない場合があるという問題は、さらに、マクロ基地局のサービスエリアに配置されるフェムトセルの数が膨大であるために、マクロ基地局がサービスエリア内の全てのフェムトセルの物理ＩＤを近隣情報として登録できない場合があることからも生じる。
【００１１】
Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の基地局は、Ａｕｔｏｍａｔｉｃ  Ｎｅｉｇｈｂｏｒ  Ｒｅｌａｔｉｏｎと呼ばれる近隣セル情報リストを生成する機能を備える。そして、ＵＥがフェムトセルに在圏している場合には、フェムトセルはＡｕｔｏｍａｔｉｃ  Ｎｅｉｇｈｂｏｒ  Ｒｅｌａｔｉｏｎ機能を使って近隣セル情報リストを生成することでハンドオーバ先をそのリストの中から指定することが可能である。
【００１２】
しかし、この場合、ＵＥは、基地局が作成した近隣セル情報リストに載っていない未知の基地局のセルをハンドオーバ先に指定することはできないという課題がある。
【００１３】
また、ＵＥと基地局の間でセル再選択が行われる場合に、ＴＳ３６．３０４  ｖ９．２．０に従うと、たとえそのセルの無線品質が通信するのに十分なものであっても、そのセルが運用する周波数の中で最も高いランクに位置づけられない限りそのセルを持つ基地局とＵＥが通信を行うことができない。すなわち、知られているセル再選択の手順には、移動基地局の保有事業者が利用者に特定の移動基地局のセルを利用させることができないという課題もある。
【００１４】
そして、特許文献１及び特許文献２は、これらの課題を解決する技術を記載していない。
【００１５】
［発明の目的］
本願発明の目的は、複数の基地局で構成された通信システムにおいて、ＵＥに特定のセルを利用させるという課題を解決するための通信システム、通信方法、基地局、基地局の通信方法及び基地局の制御プログラムを提供することにある。
【課題を解決するための手段】
【００１６】
本発明の通信システムは、第１の基地局と、第２の基地局と、管理ノードとを備え、管理ノードは、第１の基地局及び第２の基地局と第１の基地局又は第２の基地局のいずれかに帰属して通信を行う端末との間の接続ポリシー情報を記憶するとともに、隣接する第２の基地局を示す情報を含む隣接情報を接続ポリシー情報及び第２の基地局の位置情報に基づいて生成して第１の基地局に通知し、第１の基地局は、第１の基地局に帰属する端末と第１の基地局との接続状態に基づいて隣接情報を端末に通知し、端末が帰属する基地局は、通知された隣接情報に基づいて決定される。
【００１７】
本発明の基地局は、他の基地局の位置情報及び基地局と端末との接続ポリシー情報に基づいて生成された、隣接する他の基地局を示す情報を含む隣接情報を受信するとともに、自基地局に帰属する端末と自基地局との接続状態に基づいて、隣接情報を端末に通知する通知手段と、端末との通信に必要な処理を行う処理手段と、隣接情報を記憶する記憶手段と、を備える。
【００１８】
本発明の通信方法は、第１の基地局と、第２の基地局と、を備える通信システムで用いられる通信方法であって、第１の基地局及び第２の基地局と第１の基地局又は第２の基地局のいずれかに帰属して通信を行う端末との間の接続ポリシー情報を記憶し、隣接する第２の基地局を示す情報を含む隣接情報を、接続ポリシー情報及び第２の基地局の位置情報に基づいて生成して第１の基地局に通知し、第１の基地局に帰属する端末と第１の基地局との接続状態に基づいて隣接情報を端末に通知し、通知された隣接情報に基づいて、帰属する基地局を決定する。
【００１９】
本発明の基地局の通信方法は、他の基地局の位置情報及び基地局と端末との接続ポリシー情報に基づいて生成された、隣接する他の基地局を示す情報を含む隣接情報を受信して記憶し、自基地局に帰属する端末と自基地局との接続状態に基づいて、隣接情報を端末に通知する。
【００２０】
本発明の基地局の制御プログラムは、基地局のコンピュータを、他の基地局の位置情報及び基地局と端末との接続ポリシー情報に基づいて生成された、隣接する他の基地局の情報である隣接情報を受信するとともに、自基地局に帰属する端末と自基地局との接続状態に基づいて、隣接情報を端末に通知する通知手段、端末との通信に必要な処理を行う処理手段、隣接情報を記憶する記憶手段、として動作させる。
【発明の効果】
【００２１】
本願発明は、複数の基地局で構成された通信システムにおいて、ＵＥに特定のセルを利用させることを可能にする。
【図面の簡単な説明】
【００２２】
【図１】本発明の第１の実施形態の通信システムの構成を示す図である。
【図２】本発明の管理ノードの構成を示す図である。
【図３】本発明のフェムトセル基地局の構成を示す図である。
【図４】本発明の第１の実施形態の通信システムの動作シーケンスを示す図である。
【図５】本発明の第２の実施形態の通信システムの構成を示す図である。
【図６】本発明の第２の実施形態の通信システムの動作シーケンスを示す図である。
【図７】本発明の他の実施形態において、移動基地局がマクロ基地局のサービスエリアに在圏したことをコアネットワークへ通知する構成を示す図である。
【発明を実施するための形態】
【００２３】
［第１の実施形態の構成］
図１は本発明の通信システムの第１の実施形態の通信システムの構成を示す図である。通信システムはＬＴＥであるとする。ＵＥ３００は、ユーザーが使用する端末であり、フェムトセル基地局１のセル１１に在圏している。図１において、ＵＥ３００は通信中ではなくＲＲＣ  Ｉｄｌｅ状態である。そして、ＵＥ３００はセル１１、移動基地局２のセル１２、移動基地局３のセル１３が重なり合う領域に向かって移動している。また、ある通信事業者がフェムトセル基地局１と移動基地局２、管理ノード２００からなるシステムを利用して通信サービスを提供している。
【００２４】
図２は、管理ノード２００の構成を示す図である。管理ノード２００は、データベース２１１、処理部２１２及び送受信部２１３を備える。データベース２１１は、通信事業者が提供する通信サービスのポリシーや移動基地局２の位置情報を格納する。処理部２１２は、フェムトセル基地局１と移動基地局２との距離の算出や通信サービスのポリシーを実行する。送受信部２１３は、移動基地局２が使用している周波数やセルＩＤの情報をフェムトセル基地局１に送信するとともに、外部サーバ６００が収集した移動基地局２の位置情報を受け取る。
【００２５】
なお、処理部２１２は、中央処理装置及びメモリを備えていてもよい。そして、中央処理装置は、メモリに記録されたプログラムによって管理ノードの機能を実現してもよい。
【００２６】
図３は、フェムトセル基地局１の構成を示す図である。フェムトセル基地局１は、送受信部１１１、処理部１１２及びデータベース１１３から構成される。送受信部１１１は、管理ノード２００、ゲートウェイ４００、ＵＥ３００と通信する。処理部１１２は、ＵＥ３００及び管理ノードとの通信に必要な処理を行う。データベース１１３は、フェムトセル基地局１がＵＥ３００または管理ノード２００と通信する際に用いられる情報を記憶する。
【００２７】
なお、処理部１１２は、中央処理装置及びメモリを備えていてもよい。そして、中央処理装置は、メモリに記録されたプログラムによって管理ノードの機能を実現してもよい。
【００２８】
フェムトセル基地局１は、ネットワークを介してゲートウェイ４００と接続している。ゲートウェイ４００はさらにコアネットワーク５００と接続されている。なおフェムトセル基地局１はゲートウェイ４００を介さずに直接コアネットワーク５００へ接続するようにしてもよい。
【００２９】
移動基地局２及び移動基地局３はフェムトセル基地局１またはマクロ基地局４と同様の構成を備えている。そして、移動基地局２及び移動基地局３は、マクロ基地局４を介してコアネットワークに接続されている。
【００３０】
外部サーバ６００はＧＰＳ（Ｇｌｏｂａｌ  Ｐｏｓｉｔｉｏｎｉｎｇ  Ｓｙｓｔｅｍ）を用いて取得した移動基地局２の位置情報、及び、例えばコアネットワークに存在するＨＳＳ（Ｈｏｍｅ  Ｓｕｂｓｃｒｉｂｅｒ  Ｓｅｒｖｅｒ）といった加入者管理装置から取得したＴｒａｃｋｉｎｇ  Ａｒｅａ（以下ＴＡという。）単位での位置情報を取得する機能を備える。
【００３１】
［第１の実施形態の動作の説明］
第１の実施形態では、ＵＥ３００の所有者がフェムトセル基地局１、移動基地局２、管理ノード２００から成るシステムから提供される通信サービスを利用できるという契約を結んでいるものとする。ＵＥ３００は、フェムトセル基地局１に在圏している。そして、移動基地局２がフェムトセル基地局１へと近づいたと管理ノード２００が判断すると、ＵＥ３００がＲＲＣ  Ｉｄｌｅ状態である場合にはＵＥ３００に移動基地局２のセル１２を再選択させるというポリシーが管理ノード２００に設定されている。なお、セルの選択は、当該セルを構成する基地局を選択することで行われてもよい。
【００３２】
ここで、移動基地局２のセル１２は、移動基地局３のセル１３及びマクロ基地局４のセル１４のいずれとも異なるセルである。
【００３３】
図４は、第１の実施形態の通信システムの動作シーケンスを示す図である。図４に基づいて第１の実施形態の通信システムの動作を説明する。
【００３４】
管理ノード２００は定期的に外部サーバ６００に対して移動基地局２の位置情報及びＵＥ３００が在圏している基地局の位置情報を要求する（１０１）。そして、移動基地局２がフェムトセル基地局１の近くにあると判断した場合（１０２）、管理ノード２００はポリシーに従い移動基地局２のセル１２をｎｅｉｇｈｂｏｕｒｉｎｇ  ｃｅｌｌとしてセル固有のオフセットを設定する。このようにして、管理ノード２００は隣接セル情報を変更する。そして、管理ノード２００は、隣接セル情報の変更と変更された隣接セル情報とをＵＥ３００に通知する方法をフェムトセル基地局１に指示する（１０３）。具体的には、管理ノード２００は、ＵＥ３００がＲＲＣ  Ｉｄｌｅ状態であれば、フェムトセル基地局１からＵＥ３００に向けて、Ｓｙｓｔｅｍ  Ｉｎｆｏｒｍａｔｉｏｎの変更通知と変更されたＳｙｓｔｅｍ  Ｉｎｆｏｒｍａｔｉｏｎの報知とが行われるようにフェムトセル基地局１に指示する。
【００３５】
ここで、Ｓｙｓｔｅｍ  Ｉｎｆｏｒｍａｔｉｏｎは、基地局からＵＥに通知されるシステム情報であり、３ＧＰＰの技術仕様で規定されている情報である。
【００３６】
ＵＥ３００がＲＲＣ  Ｉｄｌｅ状態であれば（１０４：Ｙ）、フェムトセル基地局１はページングを実施する。そして、フェムトセル基地局１は変更された隣接セル情報を含むＳｙｓｔｅｍ  Ｉｎｆｏｒｍａｔｉｏｎの変更をＵＥ３００に通知する（１０５）。さらに、フェムトセル基地局１は、変更されたＳｙｓｔｅｍ  ＩｎｆｏｒｍａｔｉｏｎをＵＥ３００に報知する（１０６）。その後ＵＥ３００はセル１２を再選択し（１０７）、セル１２に在圏する（１０８）。
【００３７】
一方、ＵＥ３００がＲＲＣ  Ｉｄｌｅ状態でなければ（１０４：Ｎ）、ＵＥ３００はＲＲＣ  Ｃｏｎｎｅｃｔｅｄ状態である。この場合は、後述する図６のステップ２０５以降の手順に移行する。
【００３８】
［第１の実施形態の効果の説明］
以上説明した第１の実施形態のシステムにおいては、フェムトセル基地局１、移動基地局２、管理ノード２００を備える通信システムで通信サービスを提供している通信事業者が、ユーザーに通信サービスを継続して利用してもらえることになり、ユーザーのサービス満足度を向上させることができるという効果を奏する。
【００３９】
その理由は、管理ノード２００には、ＲＲＣ  Ｉｄｌｅ状態であるＵＥ３００のセルの再選択に際して、ユーザーが利用している通信サービスを継続して提供可能な移動基地局２のセル１２のセルを再選択させるというポリシーが設定されているからである。管理ノード２００は、ポリシーに基づいて隣接セル情報を更新する。そして、移動基地局２のセルが、ＵＥ３００が在圏するフェムトセル１１へ近づくと、管理ノード２００は、隣接セル情報に基づいて、ＵＥ３００に、フェムトセル基地局１と同様の通信サービスを提供可能な移動基地局２のセル１２のセルを再選択させる。
【００４０】
その結果、ユーザーは、ユーザー自身の移動によって基地局が切り替わった場合にも、通信事業者が提供している通信サービスを継続して受けられるという利点を享受できる。また、通信事業者は、ユーザーの通信サービス利用動向などを継続して把握することができる。従って、通信事業者は、さらなる通信サービスの改善のための情報を継続して入手できる。
【００４１】
従って、第１の実施形態の通信システムは、ユーザーの満足度を向上させることができるという効果を奏する。
【００４２】
さらに、第１の実施形態の通信システムには、より好ましいセルをＵＥが再選択することができるという効果もある。
【００４３】
その理由は、第１の実施形態の通信システムでは、外部サーバから入手した移動基地局、ＵＥの位置情報及び管理ノード２００に設定されたポリシーに基づいて隣接セル情報が更新され、その隣接セル情報に基づいて再選択するセルが決定されているからである。第１の実施形態の通信システムでは、移動基地局及びＵＥの位置情報を外部サーバから入手することで、ＵＥ３００は基地局の近隣のセル以外のセルを再選択の対象とすることができる。
【００４４】
例えば、基地局が作成した近隣のセルのリストには所望の通信サービスを継続できるセルが記載されていない場合もありうる。しかし、このような場合でも、管理ノード２００が保持する隣接セル情報に当該通信サービスを提供可能なセルが記載されていれば、ＵＥ３００がそのセルを再選択することで、ＵＥ３００は通信サービスを継続してユーザーに提供できる。
【００４５】
なお、フェムトセル基地局１が、ハイブリッドモードと呼ばれるモードで運用される場合がある。ハイブリッドモードとは、ＣＳＧモード及びオープンモードと呼ばれるマクロ基地局と同様の機能を提供するモードが同時に運用されるモードである。フェムトセル基地局１がハイブリッドモードで運用されている場合、セル１１に在圏するＵＥ３００以外のＵＥにもＳｙｓｔｅｍ  Ｉｎｆｏｒｍａｔｉｏｎの変更が報知される。この場合には、ある通信事業者のフェムトセル基地局１と移動基地局２、管理ノード２００からなるシステムを利用する通信サービスをＣＳＧモードで提供することより、ＣＳＧ  ＩＤを持たない他のユーザーのＵＥにセル再選択を強制させないようにできる。従って、第１の実施形態で提案する手法は、フェムトセルＣＳＧ  ＩＤを保有しないユーザーの通信サービスに影響を与えることなく、ＣＳＧ  ＩＤを保有するユーザーのサービス利用性を向上させることが可能となる。
【００４６】
以上説明したように、本願発明の第１の実施形態の通信システムは、複数の基地局とＵＥとで構成された通信システムにおいて、ＵＥに特定のセルを利用させることができるという効果を奏する。
【００４７】
［第２の実施形態の構成］
図５は本発明の第２の実施形態の通信システムの構成を示す図である。ＵＥ３００はフェムトセル基地局１のセル１１に在圏してフェムトセル基地局１と通信中（ＲＲＣ  Ｃｏｎｎｅｃｔｅｄ状態）である。そして、ＵＥ３００は、セル１１、セル１２、セル１３が重なり合う領域に向かって移動している。その他の構成は第１の実施形態と同じであり、第１の実施形態と共通する部分の説明は省略する。
【００４８】
［第２の実施形態の動作の説明］
第２の実施形態では、ＵＥ３００の所有者は、フェムトセル基地局１、移動基地局２、管理ノード２００から成るシステムから提供される通信サービスを利用できるという契約を結んでいるものとする。ＵＥ３００は、フェムトセル基地局１に在圏している。そして、移動基地局２のセルがＵＥ３００へと近づいたと管理ノード２００が判断すると、管理ノード２００は、ＵＥ３００がＲＲＣ  Ｃｏｎｎｅｃｔｅｄ状態である場合には、ＵＥ３００をセル１１からセル１２へとハンドオーバさせるというポリシーが管理ノード２００に設定されている。なお、セルの選択は、当該セルを構成する基地局を選択することで行われてもよい。
【００４９】
ここで、セル１２は、移動基地局３のセル１３及びマクロ基地局４のセル１４のいずれとも異なるセルである。
【００５０】
図６は、本発明の第２の実施形態の通信システムの動作シーケンスを示す図である。図６に示すシーケンスに基づいて第２の実施形態の通信システムの動作を説明する。
【００５１】
管理ノード２００は定期的に外部サーバ６００に対して移動基地局２の位置情報及びＵＥ３００の在圏している基地局の位置情報を要求する（２０１）。そして、移動基地局２がフェムトセル基地局１の近くにあると判断した場合（２０２）、管理ノード２００はポリシーに従い移動基地局２のセル１２をｎｅｉｇｈｂｏｕｒｉｎｇ  ｃｅｌｌとしてセル固有のオフセットを設定する。このようにして、管理ノード２００は隣接セル情報を変更する。そして、管理ノード２００は、隣接セル情報の変更と変更された隣接セル情報とをＵＥ３００へ通知する方法をフェムトセル基地局１に指示する（２０３）。具体的には、管理ノード２００は、ＵＥ３００がＲＲＣ  Ｃｏｎｎｅｃｔｅｄ状態であれば、変更された隣接セル情報を個別チャネルを通じてＵＥ３００に通知するように、フェムトセル基地局１へ指示する。なお、オフセットは、隣接セルがハンドオーバを実行するかどうかの判断に用いられる情報である。例えば、現在ＵＥが接続しているフェムトセル基地局１の通信状態と、ある隣接セルの通信状態との差がオフセット以内であると判断される場合に、ハンドオーバが実施されるようにしてもよい。
【００５２】
ＵＥ３００がＲＲＣ  Ｃｏｎｎｅｃｔｅｄ状態であれば（２０４：Ｙ）、フェムトセル基地局１はハンドオーバ処理の過程において個別チャネルで更新された近隣情報を通知する（２０５）。ハンドオーバ処理終了後、ＵＥ３００はセル１２を有する移動基地局２と通信を継続する（２０６）。
【００５３】
一方、ＵＥ３００がＲＲＣ  Ｃｏｎｎｅｃｔｅｄ状態でなければ（２０４：Ｎ）、ＵＥ３００はＲＲＣ  Ｉｄｌｅ状態である。この場合、フェムトセル基地局１は、図４で説明したステップ１０５以降の手順に移行する。
【００５４】
［第２の実施形態の効果の説明］
以上説明した第２の実施形態の通信システムは、フェムトセル基地局１、移動基地局２、管理ノード２００を備える通信システムで通信サービスを提供している通信事業者が、ユーザーに通信サービスの利用を継続されることによって、ユーザーの満足度を向上させることができるという効果を奏する。
【００５５】
その理由は、管理ノード２００には、ＲＲＣ  Ｃｏｎｎｅｃｔｅｄ状態にあるＵＥ３００が帰属するセルを、通信事業者の通信サービスを提供可能な移動基地局２のセル１２のセルへハンドオーバさせるというポリシーが設定されているからである。管理ノード２００は、ポリシーに基づいて隣接セル情報を更新する。そして、通信中の移動基地局２のセル１２が、ＵＥ３００が在圏するフェムトセル１１へ近づくと、管理ノード２００は、ＵＥ３００をフェムトセル１のセル１１から移動基地局２のセル１２のセルへハンドオーバさせる。
【００５６】
その結果、ユーザーは、ユーザー自身の移動によって基地局が切り替わった場合にも、通信事業者が提供している通信サービスを継続して受けられるという利点を享受できる。また、通信事業者は、ユーザーの通信サービス利用動向などを継続して把握することができる。従って、通信事業者は、さらなる通信サービスの改善のための情報を継続して入手できる。
【００５７】
従って、第２の実施形態の移動通信システムは、ユーザーの満足度を向上させることができるという効果を奏する。
【００５８】
さらに、第２の実施形態の通信システムには、ＵＥがより好ましいセルへハンドオーバすることができるという効果もある。
【００５９】
その理由は、第２の実施形態の通信システムでは、外部サーバから入手した移動基地局、ＵＥの位置情報及び管理ノード２００に設定されたポリシーに基づいて隣接セル情報が更新されるからである。そして、その隣接セル情報に基づいてハンドオーバ先のセルが決定されるからである。移動基地局及びＵＥの位置情報を外部サーバから入手することで、ＵＥ３００は基地局の近隣のセル以外のセルをハンドオーバの対象とすることができる。
【００６０】
例えば、基地局が作成した近隣のセルのリストには所望の通信サービスを継続できるセルが記載されていない場合もありうる。しかし、このような場合でも、管理ノード２００が持つ隣接セル情報に当該通信サービスを提供可能なセルが記載されていれば、ＵＥ３００がそのセルにハンドオーバすることで、ＵＥ３００は通信サービスを継続してユーザーに提供できる。
【００６１】
なお、第１の実施形態及び第２の実施形態で説明したフェムトセル基地局１は、以下のような基地局としても記載できる。
【００６２】
すなわち、基地局（フェムトセル基地局１）は、他の基地局（移動基地局２）の位置情報及び基地局と端末との接続ポリシー情報に基づいて生成された、隣接する基地局を示す情報を含む隣接情報を受信する。そして、基地局は、帰属する端末（ＵＥ３００）との接続状態（ＲＲＣ  ＩｄｌｅであるかＲＲＣ  Ｃｏｎｎｅｃｔｅｄであるか）に基づいて、隣接セル情報を端末に通知する送受信部（１１１）と、端末との通信に必要な処理を行う処理部（１１２）と、隣接情報を記憶する記憶手段（１１３）と、を備える。
【００６３】
この構成の基地局によっても、端末は、基地局から、他の基地局の位置情報及び基地局と端末との接続ポリシー情報に基づいて生成された、隣接情報を受信することができる。その結果、端末は、接続ポリシー情報に基づいて、他の基地局を再選択し、あるいは他の基地局へのハンドオーバを実行できる。
【００６４】
以上説明したように、本願発明の第２の実施形態の通信システムは、複数の基地局とＵＥとで構成された通信システムにおいて、ＵＥを特定のセルへハンドオーバさせることができるという効果を奏する。
【００６５】
［発明の他の実施形態］
第１及び第２の実施形態では、本発明をＬＴＥの通信システムに適用した場合について説明した。しかし、本願発明は、他の通信システムにおいても同様に実施可能である。
【００６６】
また、第１の実施形態及び第２の実施形態においては、いずれもハンドオーバ処理はＵＥ３００がフェムトセル基地局１のセル１１に在圏している状態から始まっている。しかし、第１及び第２の実施形態で説明した手順は、初期状態でＵＥ３００はフェムトセル基地局１のセル１１に在圏していなくともよい。たとえば、上記の手順はＵＥ３００がマクロ基地局４のセル１４に在圏している状態から手順を開始してもよい。
【００６７】
第１の実施形態及び第２の実施形態では、いずれも呼処理の手順の中でＵＥに近隣セル情報を通知している。しかし、近隣セル情報の通知には、他のプロトコルが用いられてもよい。他のプロトコルとしては、例えばＯＭＡ−ＤＭ（Ｏｐｅｎ  Ｍｏｂｉｌｅ  Ａｌｌｉａｎｃｅ−Ｄｅｖｉｃｅ  Ｍａｎａｇｅｍｅｎｔ）がある。ＯＭＡは、移動通信機器の規格を策定する団体であり、ＯＭＡ−ＤＭは、ＯＭＡが策定したデバイス管理のための規格である。
【００６８】
第１の実施形態及び、第２の実施形態では、いずれも外部サーバ６００は移動基地局の位置情報をＧＰＳから得て、管理ノードに通知している。しかし、管理ノードが外部サーバの機能を持つようにしてもよい。
【００６９】
また、３ＧＰＰの勧告は、移動端末が基地局のサービスエリアに在圏すると位置登録要求を送信する手順を規定している。図７は、移動基地局がマクロ基地局のサービスエリアに在圏したことをコアネットワークへ通知する構成を示す。通信システムが図７の構成を備える場合には、外部サーバはここで通知される位置情報を取得してもよい。
【００７０】
ＬＴＥではゲートウェイ４００は必ずしも必要ではないが、使用される場合にはゲートウェイ４００に管理ノード２００や外部サーバ６００を備える構成としてもよい。
【００７１】
さらに、ユーザーが通信事業者に提供する情報を外部サーバが取得し、それを管理ノードが利用して、フェムトセルに隣接セル情報の変更とその通知方法を指示する時刻を設定してもよい。
【００７２】
第１及び第２の実施形態では、フェムトセル基地局から移動基地局へのハンドオーバ及びセル再選択について説明した。しかし、管理ノード及びゲートウェイを移動基地局と接続可能なように構成し、本願発明を、移動基地局からフェムトセル基地局へのハンドオーバまたはセル再選択に適用することも可能である。また、このような構成により、本願発明を、移動基地局から他の移動基地局へのハンドオーバまたはセル再選択に適用することも可能となる。
【００７３】
なお、上記の実施形態の一部又は全部は、以下の付記のようにも記載されうるが、以下には限られない。
【００７４】
（付記１）
第１の基地局と、第２の基地局と、管理ノードとを備える通信システムであって、
前記管理ノードは、
前記第１の基地局及び前記第２の基地局と前記第１の基地局又は前記第２の基地局のいずれかに帰属して通信を行う端末との間の接続ポリシー情報を記憶するとともに、隣接する前記第２の基地局を示す情報を含む隣接情報を前記接続ポリシー情報及び前記第２の基地局の位置情報に基づいて生成して前記第１の基地局に通知し、
前記第１の基地局は、
前記第１の基地局に帰属する前記端末と前記第１の基地局との接続状態に基づいて前記隣接情報を前記端末に通知し、
前記端末が帰属する基地局は、前記通知された前記隣接情報に基づいて決定される、
通信システム。
【００７５】
（付記２）
前記第１の基地局は、前記端末と前記第１の基地局とが通信中でない場合は、前記隣接情報を前記端末にブロードキャストする、付記１に記載された通信システム。
【００７６】
（付記３）
前記通信システムはＬＴＥ（Ｌｏｎｇ  Ｔｅｒｍ  Ｅｖｏｌｕｔｉｏｎ）システムであり、前記第１の基地局は、前記端末がＲＲＣ  Ｉｄｌｅ状態である場合には、前記隣接情報をＳｙｓｔｅｍ  Ｉｎｆｏｒｍａｔｉｏｎ情報を用いてページングにより前記端末に通知する、付記１に記載された通信システム。
【００７７】
（付記４）
前記第１の基地局は、前記端末と前記第１の基地局とが通信中である場合は、前記接続ポリシー情報に基づいて前記端末のハンドオーバ処理を実行する、付記１に記載された通信システム。
【００７８】
（付記５）
前記通信システムはＬＴＥ（Ｌｏｎｇ  Ｔｅｒｍ  Ｅｖｏｌｕｔｉｏｎ）システムであり、前記端末がＲＲＣ  Ｃｏｎｎｅｃｔｅｄ状態である場合には、前記隣接情報はハンドオーバ処理の過程において個別チャネルで通知される、付記１に記載された通信システム。
【００７９】
（付記６）
他の基地局の位置情報及び基地局と端末との接続ポリシー情報に基づいて生成された、隣接する前記他の基地局を示す情報を含む隣接情報を受信するとともに、自基地局に帰属する端末と自基地局との接続状態に基づいて、前記隣接情報を前記端末に通知する通知手段と、
前記端末との通信に必要な処理を行う処理手段と、
前記隣接情報を記憶する記憶手段と、を備える基地局。
【００８０】
（付記７）
前記端末と自基地局とが通信中でない場合は、前記隣接情報を前記端末にブロードキャストする、付記６に記載された基地局。
【００８１】
（付記８）
前記基地局はＬＴＥシステムで用いられる基地局であり、
前記基地局は、前記端末がＲＲＣ  Ｉｄｌｅ状態である場合には、前記隣接情報を、Ｓｙｓｔｅｍ  Ｉｎｆｏｒｍａｔｉｏｎ情報を用いて前記端末に通知する、付記６に記載された基地局。
【００８２】
（付記９）
前記端末と自基地局とが通信中である場合は、前記基地局及び前記他の基地局と前記端末との接続ポリシーに基づいて、前記端末のハンドオーバ処理を実行する、付記６に記載された基地局。
【００８３】
（付記１０）
前記基地局はＬＴＥシステムで用いられる基地局であり、
前記端末がＲＲＣ  Ｃｏｎｎｅｃｔｅｄ状態である場合には、前記隣接情報をハンドオーバ処理の過程において個別チャネルで端末に通知する、付記６に記載された基地局。
【００８４】
（付記１１）
第１の基地局と、第２の基地局と、を備える通信システムで用いられる通信方法であって、
前記第１の基地局及び前記第２の基地局と前記第１の基地局又は前記第２の基地局のいずれかに帰属して通信を行う端末との間の接続ポリシー情報を記憶し、
隣接する前記第２の基地局を示す情報を含む隣接情報を、前記接続ポリシー情報及び前記第２の基地局の位置情報に基づいて生成して前記第１の基地局に通知し、
前記第１の基地局に帰属する前記端末と前記第１の基地局との接続状態に基づいて前記隣接情報を前記端末に通知し、
前記通知された前記隣接情報に基づいて、帰属する基地局を決定する、通信方法。
【００８５】
（付記１２）
他の基地局の位置情報及び基地局と端末との接続ポリシー情報に基づいて生成された、隣接する前記他の基地局を示す情報を含む隣接情報を受信して記憶し、
自基地局に帰属する端末と自基地局との接続状態に基づいて、前記隣接情報を前記端末に通知する、基地局の通信方法。
【００８６】
（付記１３）
基地局のコンピュータを、
他の基地局の位置情報及び基地局と端末との接続ポリシー情報に基づいて生成された、隣接する前記他の基地局の情報である隣接情報を受信するとともに、自基地局に帰属する端末と自基地局との接続状態に基づいて、前記隣接情報を前記端末に通知する通知手段、
前記端末との通信に必要な処理を行う処理手段、
前記隣接情報を記憶する記憶手段、
として動作させるための基地局の制御プログラム。
【符号の説明】
【００８７】
１  フェムトセル基地局
２  移動基地局
３  移動基地局
４  マクロ基地局
１１  フェムトセル基地局１のセル
１２  移動基地局２のセル
１３  移動基地局３のセル
１４  マクロ基地局４のセル
１１１  送受信部
１１２  処理部
１１３  データベース
２００  管理ノード
２１１  データベース
２１２  処理部
２１３  送受信部
３００  ＵＥ
４００  ゲートウェイ
５００  コアネットワーク
６００  外部サーバ
【図１】
2012049675.tif 000003
【図２】
2012049675.tif 000004
【図３】
2012049675.tif 000005
【図４】
2012049675.tif 000006
【図５】
2012049675.tif 000007
【図６】
2012049675.tif 000008
【図７】
2012049675.tif 000009